(57)【特許請求の範囲】
【請求項１】
被燃焼物の送り方向に交互に配設した固定火格子と可動火格子の両側部に位置して固定火格子側に固定したサイドプレートと，サイドプレートの両側方に位置して耐火炉壁側に固定したシールプレートと，サイドプレートとシールプレートと耐火炉壁の間に介設されてこれ等の間を密封する耐火シール材とを備えた階段式ストーカに於いて、前記サイドプレートを概ね固定火格子の側面に対向する第１サイドプレート片と概ね可動火格子の側面に対向する第２サイドプレート片に分割線の方向から見て相互に重なりを生じないように分割し、前記分割した各第１サイドプレート片を夫々対向する固定火格子側へ着脱自在に固定すると共に、前記分割した各第２サイドプレート片を隣接する第１サイドプレートへ着脱自在に固定する構成としたことを特徴とする階段式ストーカ。
【請求項２】
分割線の方向を、可動火格子の往復移動の方向と同じ方向とした請求項１に記載の階段式ストーカ。
【請求項３】
固定火格子に固着した第１サイドプレート片に、その下流側の可動火格子に対向する第２サイドプレート片を連結固定するようにした請求項１に記載の階段式ストーカ。
【請求項４】
各第１サイドプレート片と第２サイドプレート片とを分割線の方向に相対移動自在にいんろう式の継目により連結する構成とした請求項１に記載の階段式ストーカ。
【請求項５】
各第１サイドプレート片と第２サイドプレート片との継目に伸縮可能な耐火シール材を介設するようにした請求項１又は請求項４に記載の階段式ストーカ。
【発明の詳細な説明】
【０００１】
【発明の属する技術分野】
本発明は、固定火格子と可動火格子とが被燃焼物の送り方向に交互に配設された階段式ストーカの改良に関するものであり、主として都市ごみ等の焼却炉に適用されるものである。
【０００２】
【従来の技術】
従来、この種の階段式ストーカとしては、例えば特開平１１−１１８０４９号に記載のものが知られている。即ち、特開平１１−１１８０４９号の階段式ストーカ１は、図６及び図７に示す如く固定火格子２、可動火格子３、サイドプレート４、耐火炉壁５、シールプレート６、耐火シール材７とからその主要部が構成されている。
【０００３】
各火格子２、３は、所定の前方仰角θ（例えば２０°）だけ傾斜した状態でレール状を呈する火床フレーム９ａ・９ｂに側方から嵌め込まれ、多少動く様に取付けられている。
【０００４】
また、各火格子２、３は火格子体１０とシュー１１と空気吹出口１２とを備えている。
【０００５】
前記固定火格子２用の火床フレーム９ａは、図７に示すように支持フレーム８に固定されたストーカフレーム１３にその両側部が取付けられている。
【０００６】
また、可動火格子３用の火床フレーム９ｂは駆動フレーム１４に取付けられており、且つこの駆動フレーム１４は、ストーカフレーム１３に設けたローラ１５とスライダ１６により前後動可能に支持されていて、往復駆動装置１７により前後方向に往復動される。
【０００７】
前記火格子体１０は下方と後方が開放した箱状を呈しており、内部にはフィン１８と、ノズル１９と凹溝２０を備えた仕切壁２１と、火床フレーム９ａ・９ｂに掛合する掛凹部２２が設けられている。
【０００８】
また、前記シュー１１は、断面略凸状を呈し、火格子体１０の凹溝２０に昇降可能に嵌合する凸条２３と、隣接する火格子体１０の上面に当合する摺動面２４とを備えている。
【０００９】
更に前記空気吹出口１２は、火格子体１０の前側下端とシュー１１の前側上端との間に形成されている。
【００１０】
前記サイドプレート４は図７に示すように各火格子２、３の両側部に配置されており、垂直部２５とこれの上端から耐火炉壁５側へ突出した後に垂下する鉤部２６とを備えた断面略逆Ｌ型で、横長の長方形状を呈して居り、スペーサ（薄板）２７を介して両端に位置する固定火格子２の側部に取付ボルト２８に依り取付けられている。
【００１１】
尚、このスペーサ２７は、固定火格子２の側面と同形の薄板であって、可動火格子３の全幅より固定火格子２の全幅を僅かに広くする為に、固定火格子２とサイドプレート４との間若しくは固定火格子２同士の間に挟み込まれており、可動火格子３とサイドプレート４との間の隙間Ｈを調整する役割を持っている。この隙間Ｈは、サイドプレート４に対して可動火格子３が前後方向に移動できる最小限の大きさに調整される。
【００１２】
当該サイドプレート４は、被燃焼物の送り方向に複数に分割されており、具体的には、固定火格子２のピッチに等しい長さに分割され、取付ボルト２８に依り固定火格子２の側部に取付けられている。
【００１３】
耐火炉壁５は焼却炉の側壁を形成するものであり、支持フレーム８と、これの内側に固定されたレンガ支架台２９と、これの上に積み重ねられた耐火物レンガ３０と、支持フレーム８の内側でレンガ支架台２９の下方に設けられたストーカ支持台３１と、これに支持されたストーカフレーム１３とを含んでいる。ストーカフレーム１３の内側には、灰出しホッパ５６が取付けられている。
【００１４】
シールプレート６は、サイドプレート４の両側方に位置して耐火炉壁５に当合する様に取付けられたもので、断面略Ｃ型を呈する基部３２と、サイドプレート４の鉤部２６内に臨む突部３３とを備えており、耐火炉壁５のレンガ支架台２９とストーカフレーム１３に取付ボルト３４に依り取付けられている。
【００１５】
耐火シール材７は、サイドプレート４と耐火炉壁５とシールプレート６との間を密封する伸縮可能なもので、サイドプレート４とシールプレート６と耐火物レンガ３０とで囲繞される空間に、セラミックフェルトン等の綿状のものが充填されている。
【００１６】
往復駆動装置１７により駆動フレーム１４が前後方向に移動されると、固定火格子２に対して可動火格子３が往復動され、ごみが火床の上流から下流へ移送されながら焼却される。
【００１７】
燃焼用空気は、灰出しホッパ５６内を経て火格子体１０の下側から供給され、ノズル１９により絞られて圧力損失を持たされた後、空気吹出口１２から噴出される。
【００１８】
固定火格子２の側部にはサイドプレート４を取付けたので、固定火格子２とサイドプレート４との間から燃焼用空気が漏洩したり、灰や未燃物が落下したりする事はない。また、可動火格子３とサイドプレート４との間は、組立時の調整により僅かな隙間Ｈとされているため、燃焼用空気の漏洩及び灰や未燃物の落下は最低限に抑えられる。更に、サイドプレート４と耐火炉壁５とシールプレート６との間には伸縮可能な耐火シール材７が介設されているため、各火格子２、３の幅方向の膨張・収縮が許容されるだけでなく、燃焼用空気の漏洩及び灰や未燃物の落下が防止される。
【００１９】
上述のように、特開平１１−１１８０４９号階段式ストーカは優れた実用的効用を有するものである。しかし、この階段式ストーカにも多くの解決すべき問題が残されており、その中でも最も解決を急ぐ問題はサイドプレートの補修に手数がかかり過ぎると云う点である。
【００２０】
即ち、前記サイドプレート４は、図６に示すようにごみの流れ方向に分割されており、夫々は長方形状を呈している。また、長方形状の各サイドプレート片４′同士の継目は、燃焼用空気の漏洩を防ぐために、図８に示す如き所謂いんろう構造の継目となっており、下流側のサイドプレート片４′が上流側のサイドプレート片４′に覆い被さるような構造とされている。
【００２１】
その結果、上流側のサイドプレート片４′を取替えするには、下流側から全てのサイドプレート片４′を一旦取り外す必要があり、例えば最上流のサイドプレート片４′を取替えするには火床全体を分解しなければならず、サイドプレート片４′の補修に多くの手数を要することになる。
【００２２】
また、各サイドプレート片４′は可動火格子２と固定火格子３の両方に接触する長方形状に形成されているが、損耗の激しい部分は可動火格子２と接触する部分のみである。その結果、可動火格子２に接触する部分の局部的な損耗のみによって大きな面積を有するサイドプレート片４′そのものの寿命が決定されることになり、省資源と云う観点からも問題がある。
【００２３】
【発明が解決しようとする課題】
本発明は、従前のこの種階段式ストーカに於ける上述の如き問題、即ち▲１▼サイドプレートの取替補修に手数がかかり過ぎること及び▲２▼局部的な損耗で大きなサイドプレート片を取替えしなければならないこと等の問題を解決せんとするものであり、損耗を生じた部分のサイドプレート片のみを取り外し可能とすることにより、サイドプレートの補修を簡単且つ経済的に行なえるようにした階段式ストーカを提供するものである。
【００２４】
【課題を解決するための手段】
請求項１の発明は、被燃焼物の送り方向に交互に配設した固定火格子２と可動火格子３の両側部に位置して固定火格子２側に固定したサイドプレート４と、サイドプレート４の両側方に位置して耐火炉壁５側に固定したシールプレート６と、サイドプレート４とシールプレート６と耐火炉壁５の間に介設されてこれ等の間を密封する耐火シール材７とを備えた階段式ストーカ１に於いて、前記サイドプレート４を概ね固定火格子２の側面に対向する第１サイドプレート片４ａと概ね可動火格子３の側面に対向する第２サイドプレート片４ｂに分割線Ｅの方向から見て相互に重なりを生じないように分割し、前記分割した各第１サイドプレート片４ａを夫々対向する固定火格子２側へ着脱自在に固定すると共に、前記分割した各第２サイドプレート片４ｂを隣接する第１サイドプレート４ａへ着脱自在に固定することを、発明の基本構成とするものである。
【００２５】
請求項２の発明は請求項１の発明に於いて、分割線Ｅの方向を、可動火格子３の往復移動の方向としたものである。
【００２６】
請求項３の発明は、請求項１の発明に於いて、固定火格子２に固着した第１サイドプレート片４ａにその下流側の可動火格子３に対向する第２サイドプレート片４ｂを連結するようにしたものである。
【００２７】
請求項４の発明は請求項１の発明に於いて、各第１サイドプレート片４ａと第２サイドプレート片４ｂとを分割線Ｅの方向に相対移動が可能ないんろう構造により連結するようにしたものである。
【００２８】
請求項５の発明は請求項１又は請求項４の発明に於いて、各第１サイドプレート片４ａと第２サイドプレート片４ｂとの継目に伸縮可能な耐火シール材７を介設するようにしたものである。
【００２９】
例えば、何れかの可動火格子３に対向する第２サイドプレート片４ｂが損耗した場合には、先ず取替えしようとする第２サイドプレート片４ｂが連結されている第１サイドプレート片４ａと固定火格子２との連結を解離する。次に、相互に連結された第２サイドプレート片４ｂと第１サイドプレート片４ａとを一体として分割線Ｅの方向（図３の矢印イ方向）に引き抜き、その後第２サイドプレート片４ｂと第１サイドプレート片４ａとの連結を解く。
【００３０】
本発明の階段式ストーカでは、損耗の激しい部分のサイドプレート片４ａ・４ｂのみを簡単に取替えすることができる。また、各火格子２、３とサイドプレート片４ａ・４ｂの隙間からの燃焼用空気の漏洩及び灰や未燃物の落下が防止できるうえ、各火格子２、３の熱膨張にも追従することができる。
【００３１】
【発明の実施の形態】
以下、図面に基づいて本発明の実施形態を説明する。
【００３２】
図１は階段式ストーカの一部を示す縦断側面図であり、図２は図１のＡ−Ａ視拡大部分断面図である。また、図３はサイドプレートを備えた階段式ストーカの一部を示す縦断側面図であり、図４は図３のＣ−Ｃ視部分断面図、図５は図３のＢ−Ｂ視部分断面図である。
【００３３】
尚、図１乃至図５に於いて、前記図６乃至図８に示したものと実質的に同一の部材には、これと同じ参照番号が用いられている。
【００３４】
図１乃至図５に於いて、Ｅは分割線の方向、１は階段式ストーカ、２は固定火格子、３は可動火格子、４はサイドプレート、４ａは第１サイドプレート片、４ｂは第２サイドプレート片、５は耐火炉壁、６はシールプレート、６ａは基部、６ｂは先端部、７は耐火シール材、８は支持フレーム、９は火床フレーム、１０は火格子体、１１はシュー、１２は空気吹出口、１３はストーカフレーム、１３ａは固定バー、１３ｂは可動バー、１４は駆動フレーム、１５はローラ、１６はスライダ、１７は往復駆動装置、１８はフィン、１９はノズル、２０は凹溝、２１は仕切壁、２２は掛凹部、２３は凸条、２４は摺動面、２５は垂直部、２８は取付ボルト、２９はレンガ支架台、３０は耐火レンガ、３１はストーカ支持台、３４は取付ボルト、５６はホッパ、５７は連結ボルトである。
【００３５】
尚、階段式ストーカ１の主要部が、固定火格子２、可動火格子３、サイドプレート４、耐火炉壁５、シールプレート６、耐火シール材７等から構成されていることは、前記図６及び図７の場合と同様である。また、階段式ストーカ１の各構成部材は、サイドプレート４及びシールプレート６の部分の構成を除いて、前記図６及び図７の場合と実質的に同一の部材である。
【００３６】
更に、階段式ストーカ１の作動は、前記図６及び図７の場合と実質的に同じである。
【００３７】
従って、ここでは、主として構成の異なるサイドプレート４及びシールプレート６に関係する事項のみを説明をし、その他の部分に関する説明は前記図６及び図７に於ける説明を引用するものとする。
【００３８】
本発明に係る階段式ストーカ１に於いては、図３に示すように、サイドプレート４が概ね固定火格子２の側面に対向する第１サイドプレート片４ａと、概ね可動火格子３の側面に対向する第２サイドプレート片４ｂとを交互に複数個組み付け固定することにより、側面形状が略長方形状となるように形成されている。
【００３９】
即ち、前記第１サイドプレート片４ａと第２サイドプレート片４ｂとは、側面形状が略菱形の盤状体を分割線Ｅに沿って２分割した形状を呈しており、分割線Ｅの方向から見たときに、両サイドプレート片４ａ・４ｂ同士が相互に重なりを生じないように配設され、組み付けられている。
【００４０】
また、一組みの両サイドプレート片４ａ・４ｂの結合ユニット同士も、分割線Ｅの方向から見たときに、相互に重なりを生じないように組み付けられていることは勿論である。
【００４１】
具体的には、各第１サイドプレート片４ａは取付ボルト２８によって夫々固定火格子２の側面へ着脱自在に固定されている。また、各第１サイドプレート片４ａの下流側に位置する第２サイドプレート片４ｂは、連結ボルト５７により前記上流側に隣接する第１サイドプレート片４ａへ夫々着脱自在に固定されている。
【００４２】
尚、各第１サイドプレート片４ａ及び第２サイドプレート片４ｂの正面側は、図４及び図５に示すように細幅状の長方形状を呈している。また、これ等両サイドプレート片４ａ・４ｂの各端面同士は凹・凸の組み合せに係る所謂いんろう構造により組み付けられており、組み合せの継目にセラミックフェルトン等の伸縮可能な耐火シール材を介設したうえ両者を組み付けすることにより、燃焼用空気の漏洩の防止が図られている。
【００４３】
前記シールプレート６は、図２に示す如く耐火炉壁５とサイドプレート４との間に配置されており、その基部６ａは取付ボルト３４によってストーカ支持台３１へ支持固定されている。
【００４４】
また、シールプレート６の先端部６ｂは各サイドプレート片４ａ・４ｂの内方にまで延設されており、このシールプレート先端部６ａと耐火炉壁５の間隙及びシールプレート先端部６ａと各サイドプレート片４ａ・４ｂの間隙内に、セラミックフェルトンやバルグファイバー等の伸縮可能な耐火シール材７が充填されている。
【００４５】
尚、本実施形態に於いては、直線状のシールプレート６の先端部６ｂを各サイドプレート片４ａ・４ｂの下方部内方へ挿入する構成としているが、各サイドプレート片４ａ・４ｂの内方に鉤部を形成し、ここにシールプレート６の上端部を挿入する構成として、燃焼用空気の漏洩をより少なくするようにしてもよい。
【００４６】
また、本実施形態に於いては、第１サイドプレート片４ａと第２サイドプレート片４ｂとの分割線Ｅの方向を側面視に於いて可動火格子３の移動の方向と同一にしているが、分割線Ｅの方向から見て両サイドプレート片４ａ・４ｂ同志に重なりが生じないのであれば、分割線Ｅの方向（即ち前方仰角θ）はどのような方向であってもよい。
【００４７】
更に、本実施形態では、第１サイドプレート片４ａの側面視の形状をほぼ固定火格子２の側面形状に、また第２サイドプレート片４ｂの側面視の形状をほぼ可動火格子３の側面形状に夫々合致するものとしているが、両サイドプレート片４ａ・４ｂの側面視の形状がこれに限定されるものでないことは勿論である。
【００４８】
同様に両サイドプレート片４ａ・４ｂ間の継目のいんろうの形状は、分割線Ｅの方向に相互移動が可能なものであれば、如何なるものであってもよい。
【００４９】
而して、何れかの第２サイドプレート４ｂに熱損傷等が生じた場合には、先ず当該第２サイドプレート４ｂが連結されている第１サイドプレート４ａを固定火格子２へ固着する取付ボルト２８を解離し、第１サイドプレート４ａを固定火格子２から解放する。
【００５０】
次に、前記第１サイドプレート４ａと第２サイドプレート４ｂとを一体として分割線Ｅの方向に引き抜き、両者の連結ボルト５７を解離して、損耗した第２サイドプレート片４ｂを新たな第２サイドプレート片４ｂと取替える。
【００５１】
そして、両サイドプレート片４ａ・４ｂの連結体を元の位置へ差し込み、取付ボルト２８により第１サイドプレート片４ａを固定火格子２の側面へ固定する。これにより、極めて簡単に損耗した第１サイドプレート片４ａ又は第２サイドプレート片４ｂを取替えすることができる。
【００５２】
【発明の効果】
本発明に於いては、固定火格子２の側部に第１サイドプレート片４ａを取付けたので、固定火格子２と第１サイドプレート片４ａとの間から燃焼用空気が漏洩したり、灰や未燃物が落下したりしない。
【００５３】
また、可動火格子３と第２サイドプレート片４ｂとの間は、僅かな隙間に調整されているから、燃焼用空気が漏洩したり、灰や未燃物が落下することを最小限とできる。
【００５４】
更に、サイドプレート４と耐火炉壁５とシールプレート６との間には伸縮可能な耐火シール材７が介設されているから、各火格子２、３の幅方向の膨張・収縮が吸収され、これらの間から燃焼用空気が漏洩したり、灰や未燃物が落下したりしない。
【００５５】
また本発明に於いては、サイドプレート４を概ね固定火格子２の側面に対向する第１サイドプレート片４ａと概ね可動火格子３の側面に対向する第２サイドプレート片４ｂに分割線の方向から見て相互に重なりを生じないように分割し、前記分割した各第１サイドプレート片４ａを夫々対向する固定火格子２側へ着脱自在に固定すると共に、前記分割した各第２サイドプレート片４ｂを隣接する第１サイドプレート片４ａへ着脱自在に固定する構成としている。
【００５６】
その結果、第１サイドプレート片４ａを固定火格子２から解放することにより、第１サイドプレート片４ａとこれに連結した第２サイドプレート片４ｂのみをユニットとして分割線Ｅの方向へ抜き出しすることができ、例えば第２サイドプレート片４ｂに局部的な損耗が生じたような場合でも、損傷を生じた第２サイドプレート片４ｂのみを取替えすることができ、補修に要する手数や資材費の大幅な削減が可能となる。
【００５７】
本発明は上述の通り優れた実用的効用を奏するものである。
【図面の簡単な説明】
【図１】本発明の一実施形態に係る階段式ストーカの一部を示す縦断側面図である。
【図２】図１のＡ−Ａ視拡大部分断面図である。
【図３】サイドプレートを備えた階段式ストーカの一部を示す縦断側面図である。
【図４】図３のＣ−Ｃ視部分断面図である。
【図５】図３のＢ−Ｂ視部分断面図である。
【図６】従前の階段式ストーカの一部を示す縦断面図である。
【図７】図６の縦断正面図である。
【図８】図７のＤ−Ｄ視（又はＥ−Ｅ視）断面図であり、従前のサイドプレート同志の継目の組み合せ状態を示す説明図である。
【符号の説明】
Ｅは分割線の方向、Ｈはサイドプレートと可動火格子の隙間、θは前方仰角、１は階段式ストーカ、２は固定火格子、３は可動火格子、４はサイドプレート、４′はサイドプレート片、４ａは第１サイドプレート片、４ｂは第２サイドプレート片、５は耐火炉壁、６はシールプレート、６ａは基部、６ｂは先端部、７は耐火シール材、８は支持フレーム、９ａ・９ｂは火床フレーム、１０は火格子体、１１はシュー、１２は空気吹出口、１３はストーカフレーム、１３ａは固定バー、１３ｂは可動バー、１４は駆動フレーム、１５はローラ、１６はスライダ、１７は往復駆動装置、１８はフィン、１９はノズル、２０は凹溝、２１は仕切壁、２２は掛凹部、２３は凸条、２４は摺動面、２５は垂直部、２６は鉤部、２７はスペーサ（薄板）、２８は取付ボルト、２９はレンガ支架台、３０は耐火レンガ、３１はストーカ支持台、３２は基部、３４は取付ボルト、５６は灰出しホッパ、５７は連結ボルト。
【図１】
0003732713.tif 000002
【図２】
0003732713.tif 000003
【図３】
0003732713.tif 000004
【図４】
0003732713.tif 000005
【図５】
0003732713.tif 000006
【図６】
0003732713.tif 000007
【図７】
0003732713.tif 000008
【図８】
0003732713.tif 000009